(57)【要約】【課題】  本体部の上位に昇降天板を有するワゴンデスクにおいて、ワゴンデスクの前側に楽な姿勢で着座することが可能であり、昇降天板の奥行幅を拡張した際にも前後の重心バランスを修正可能なワゴンデスクを提供し、後部に拡張天板を有する机と組み合わせて使用するのにも適した組合せ家具を提供する。【解決手段】  本体部２の上位に、昇降機構４で高さ調節可能に支持されるとともに、案内手段５によって前後移動可能に案内された昇降天板３を設け、昇降天板が後方移動位置にあるとき本体部の上面に昇降天板が位置し、昇降天板が前方移動位置にあるとき昇降天板の前部が本体部よりも前方へ突出し、その下方に下肢収容空間Ｓを有する。昇降天板を前方移動位置に移動させるとともに、本体部の後部上位に昇降天板と面一に連続して拡張天板６を配設し、拡張天板の後部が本体部より後方へ突出してなる。【選択図】        図７
2011004917.tif 000002
【特許請求の範囲】
【請求項１】
本体部の上位に、昇降機構で高さ調節可能に支持されるとともに、案内手段によって前後移動可能に案内された昇降天板を設け、該昇降天板が後方移動位置にあるとき前記本体部の上面に該昇降天板が位置し、該昇降天板が前方移動位置にあるとき該昇降天板の前部が前記本体部よりも前方へ突出し、その下方に下肢収容空間を有することを特徴とするワゴンデスク。
【請求項２】
前記昇降天板を前方移動位置に移動させるとともに、前記本体部の後部上位に前記昇降天板と面一に連続して拡張天板を配設し、前記昇降天板の前部が本体部より前方へ突出するとともに、前記拡張天板の後部が本体部より後方へ突出してなる請求項１記載のワゴンデスク。
【請求項３】
前記昇降天板の後部に前記拡張天板を上下回動可能に連結し、該拡張天板が後方移動位置にある前記昇降天板の後部に垂下した格納姿勢と、該拡張天板が前方移動位置にある前記昇降天板の後端に連続して該昇降天板と上面を面一となした水平姿勢とをとることが可能であり、前記拡張天板が水平姿勢の状態で前記昇降天板と共に前記案内手段で案内されて前方へ移動するとともに、前記拡張天板の下面が前記案内手段で支持されて水平姿勢を維持する請求項１又は２記載のワゴンデスク。
【請求項４】
前記昇降天板が後方移動位置にあるとき、前記拡張天板が格納姿勢の状態で、該拡張天板が前記昇降天板の後端より後方へ突出しない位置になるように、前記昇降天板と拡張天板を蝶番で連結してなる請求項３記載のワゴンデスク。
【請求項５】
前記昇降天板が奥行方向に延びた案内手段で前後移動可能に案内されるとともに、後方移動位置と前方移動位置にある状態で案内手段に設けたストッパーで前後の移動を規制してなる請求項１〜４何れかに記載のワゴンデスク。
【請求項６】
前述の請求項１〜５何れかに記載のワゴンデスクと、机との組合せ家具において、前記机は、机天板の両側に脚体を有し、前記机天板の後部であって該机天板又は前記脚体に直接又は他の部材を介して間接的に上下回動可能に拡張天板を設け、該拡張天板が前記机天板の後端に連続して該机天板と上面を面一となした水平姿勢と、前記机天板の後端下方に垂下した格納姿勢とをとることが可能であり、更に前記机天板とワゴンデスクの昇降天板の奥行幅を略一致させたことを特徴とする机とワゴンデスクとの組合せ家具。
【請求項７】
前述の請求項２〜５何れかに記載のワゴンデスクと、机との組合せ家具において、前記机は、机天板の両側に脚体を有し、前記机天板の後部であって該机天板又は前記脚体に直接又は他の部材を介して間接的に上下回動可能に拡張天板を設け、該拡張天板が前記机天板の後端に連続して該机天板と上面を面一となした水平姿勢と、前記机天板の後端下方に垂下した格納姿勢とをとることが可能であり、更に前記机天板とワゴンデスクの昇降天板の奥行幅を略一致させるとともに、前記机の拡張天板とワゴンデスクの拡張天板の奥行幅を略一致させたことを特徴とする机とワゴンデスクとの組合せ家具。
【発明の詳細な説明】
【技術分野】
【０００１】
本発明は、ワゴンデスクに係わり、更に詳しくは天板を奥行方向に拡張可能なワゴンデスクに関するものである。
【背景技術】
【０００２】
従来から、本体部に多段に引出しを有し、本体部の下面に設けたキャスターで移動可能とし、机と組み合わせて使用するワゴンデスクは各種提供されている。そして、机と組み合わせて使用する際の使用勝手を良くするために、天板が昇降するタイプも提供され、この場合、天板を下げた状態でワゴンデスクを机の足入れ空間内に押し込んで袖引出しとして使用し、天板を上昇させて机天板と略同じ高さに設定し、ワゴンデスクを机の側部に設定して袖机として使用することができる。
【０００３】
例えば、特許文献１には、平机の両脚板間又は脚板の外側に移動させて設置可能なワゴンデスクであって、本体部の固定天板の上位に昇降機構の支持部材にて支持された昇降天板を設けるとともに、該支持部材の下降規制用のストッパーを係脱させる操作レバーを前記昇降天板の両側部下面側に配した昇降天板付きワゴンデスクが開示されている。ここで、従来のワゴンデスクは、元々机の足入れ空間内に押し込んで使用することも想定しているため、奥行寸法は机天板よりも短く設定されており、袖机として使用するには昇降天板の奥行幅は不十分である。
【０００４】
そこで、特許文献２には、本体部に昇降可能に設けた天板の後部に、略水平状態と垂れ下がり状態に起倒可能に付設した天板フラップを備えたワゴンデスクが開示されている。この場合、ワゴンデスクの本体部と昇降天板の奥行幅は、机の天板下部に設けた空間の奥行より短く設定し、天板フラップを略水平状態に起立した場合にその後端と天板の前端までの長さが、前記机天板の前後方向の長さと略同一長になるようにしている。そして、前記天板フラップを略水平状態に保持する手段として、昇降天板の下面から後方へスライド棧を出没可能とし、後方へ引き出したスライド棧に天板フラップを載置する構造である。
【０００５】
しかし、特許文献２のワゴンデスクは、天板フラップを略水平状態とした場合、該天板フラップが本体部より後方へ大きく張り出し、前後の重心バランスが非常に悪くなるので、不意に天板フラップを支えにして体重を掛けたり、重い物を天板フラップに載置すると、ワゴンデスク自体が後方へ倒れてしまうことも予想できる。
【０００６】
尚、特許文献３には、天板の両側部を脚体で支持し、該天板又は前記脚体に直接又は他の部材を介して間接的に拡張天板を設け、該拡張天板が前記天板の後端に連続して該天板と上面を面一となした水平姿勢と、前記天板の後端より後方へ突出しない格納姿勢とをとることが可能である机において、前記脚体の下端であって、前部に前側接地部材を取付けるとともに、後部に前後の取付位置を変更可能に後側接地部材を着脱可能に取付けることができる机の脚装置が開示されている。ここで、後側接地部材を後方へ突出させて付け替えることにより、拡張天板を天板の後部へ水平に保持し、机の奥行幅を拡張して広く使用する場合でも、全体の重心バランスを損なうことがないのである。
【先行技術文献】
【特許文献】
【０００７】
【特許文献１】特開平９−２９４６３６号公報
【特許文献２】特開２００１−８７０４３号公報
【特許文献３】特開２００８−３０１９７４号公報
【発明の概要】
【発明が解決しようとする課題】
【０００８】
そこで、本発明が前述の状況に鑑み、解決しようとするところは、本体部の上位に昇降天板を有するワゴンデスクにおいて、ワゴンデスクの前側に楽な姿勢で着座することが可能であるとともに、昇降天板の奥行幅を拡張した際にも前後の重心バランスを修正可能なワゴンデスクを提供するとともに、後部に拡張天板を有する机と組み合わせて使用するのにも適した組合せ家具を提供する点にある。
【課題を解決するための手段】
【０００９】
本発明は、前述の課題解決のために、本体部の上位に、昇降機構で高さ調節可能に支持されるとともに、案内手段によって前後移動可能に案内された昇降天板を設け、該昇降天板が後方移動位置にあるとき前記本体部の上面に該昇降天板が位置し、該昇降天板が前方移動位置にあるとき該昇降天板の前部が前記本体部よりも前方へ突出し、その下方に下肢収容空間を有することを特徴とするワゴンデスクを構成した（請求項１）。
【００１０】
更に、前記昇降天板を前方移動位置に移動させるとともに、前記本体部の後部上位に前記昇降天板と面一に連続して拡張天板を配設し、前記昇降天板の前部が本体部より前方へ突出するとともに、前記拡張天板の後部が本体部より後方へ突出してなることが好ましい（請求項２）。
【００１１】
ここで、前記昇降天板の後部に前記拡張天板を上下回動可能に連結し、該拡張天板が後方移動位置にある前記昇降天板の後部に垂下した格納姿勢と、該拡張天板が前方移動位置にある前記昇降天板の後端に連続して該昇降天板と上面を面一となした水平姿勢とをとることが可能であり、前記拡張天板が水平姿勢の状態で前記昇降天板と共に前記案内手段で案内されて前方へ移動するとともに、前記拡張天板の下面が前記案内手段で支持されて水平姿勢を維持することがより好ましい（請求項３）。
【００１２】
また、前記昇降天板が後方移動位置にあるとき、前記拡張天板が格納姿勢の状態で、該拡張天板が前記昇降天板の後端より後方へ突出しない位置になるように、前記昇降天板と拡張天板を蝶番で連結してなることも好ましい（請求項４）。
【００１３】
更に、前記昇降天板が奥行方向に延びた案内手段で前後移動可能に案内されるとともに、後方移動位置と前方移動位置にある状態で案内手段に設けたストッパーで前後の移動を規制してなることがより好ましい（請求項５）。
【００１４】
また、前述のワゴンデスクと、机との組合せ家具において、前記机は、机天板の両側に脚体を有し、前記机天板の後部であって該机天板又は前記脚体に直接又は他の部材を介して間接的に上下回動可能に拡張天板を設け、該拡張天板が前記机天板の後端に連続して該机天板と上面を面一となした水平姿勢と、前記机天板の後端下方に垂下した格納姿勢とをとることが可能であり、更に前記机天板とワゴンデスクの昇降天板の奥行幅を略一致させたことを特徴とする机とワゴンデスクとの組合せ家具を構成した（請求項６）。
【００１５】
そして、前述のワゴンデスクと、机との組合せ家具において、前記机天板とワゴンデスクの昇降天板の奥行幅を略一致させるとともに、前記机の拡張天板とワゴンデスクの拡張天板の奥行幅を略一致させたことを特徴とする机とワゴンデスクとの組合せ家具を構成した（請求項７）。
【発明の効果】
【００１６】
以上にしてなる請求項１に係る発明のワゴンデスクは、本体部の上位に、昇降機構で高さ調節可能に支持されるとともに、案内手段によって前後移動可能に案内された昇降天板を設け、該昇降天板が後方移動位置にあるとき前記本体部の上面に該昇降天板が位置し、該昇降天板が前方移動位置にあるとき該昇降天板の前部が前記本体部よりも前方へ突出し、その下方に下肢収容空間を有するので、前記下肢収容空間に足を入れることができ、それにより昇降天板により接近して着座することができる。この場合、机の側部にワゴンデスクを設置し、机に子供が着座し、ワゴンデスクの前側に親若しくは兄弟、あるいは家庭教師が着座した場合、両者の間でコミュニケーションをとることが容易になる。また、机と組み合わせて使用する際に、昇降天板を昇降させて最適な高さに調節することができるので、使用勝手が良い。
【００１７】
請求項２によれば、前記昇降天板を前方移動位置に移動させるとともに、前記本体部の後部上位に前記昇降天板と面一に連続して拡張天板を配設し、前記昇降天板の前部が本体部より前方へ突出するとともに、前記拡張天板の後部が本体部より後方へ突出してなるので、拡張天板により天板の実効奥行幅を拡張して使用することができるとともに、昇降天板の前部及び拡張天板の後部の下方に下肢収容空間を確保することができ、ワゴンデスクの前側又は後側に接近して楽な姿勢で着座することができる。
【００１８】
請求項３によれば、前記昇降天板の後部に前記拡張天板を上下回動可能に連結し、該拡張天板が後方移動位置にある前記昇降天板の後部に垂下した格納姿勢と、該拡張天板が前方移動位置にある前記昇降天板の後端に連続して該昇降天板と上面を面一となした水平姿勢とをとることが可能であり、前記拡張天板が水平姿勢の状態で前記昇降天板と共に前記案内手段で案内されて前方へ移動するとともに、前記拡張天板の下面が前記案内手段で支持されて水平姿勢を維持するので、前後の重心バランスが取れて安定であり、しかも水平姿勢の状態で拡張天板の支持強度が高く、それに加えて拡張天板を格納姿勢から水平姿勢に変えて実効奥行幅を拡張して使用でき、所望の使用形態に簡単に変化させることができるので、使用勝手が良くなる。
【００１９】
請求項４によれば、前記昇降天板が後方移動位置にあるとき、前記拡張天板が格納姿勢の状態で、該拡張天板が前記昇降天板の後端より後方へ突出しない位置になるように、前記昇降天板と拡張天板を蝶番で連結してなるので、拡張天板の取付構造が簡単且つ強固であり、また蝶番の枢支点を中心に回動するだけなので動作が単純になり、信頼性も高くなる。更に、拡張天板が格納姿勢の場合、拡張天板が後方へ突出しないので、不意に拡張天板に当る可能性も低くなるばかりでなく、ワゴンデスクの背面を壁面やパネル面に当接して設置する場合、昇降天板の後端を隙間無く接合することが可能になる。
【００２０】
請求項５によれば、前記昇降天板が奥行方向に延びた案内手段で前後移動可能に案内されるとともに、後方移動位置と前方移動位置にある状態で案内手段に設けたストッパーで前後の移動を規制してなるので、昇降天板が前後何れの位置にある場合でも不意に移動せず、安定に使用することができる。
【００２１】
請求項６によれば、机の拡張天板が格納姿勢にあるとき、机の側部にワゴンデスクを設置した際に、机天板とワゴンデスクの昇降天板の奥行幅が略一致するので外観性に優れるとともに、ワゴンデスクの昇降天板を机天板と面一に設定したとき、天板が過不足なく左右に連続するので使用勝手が良くなるのである。また、ワゴンデスクは、昇降天板が前方移動位置にあるとき該昇降天板の前部が前記本体部よりも前方へ突出し、その下方に下肢収容空間を有するので、ワゴンデスクの前側に昇降天板に接近して着座することができ、それにより机に子供が着座し、ワゴンデスクの前部に親や家庭教師等が着座すると、両者のコミュニケーションが取り易くなるのである。
【００２２】
請求項７によれば、前述の効果に加えて、机の拡張天板とワゴンデスクの拡張天板が共に格納姿勢にあるとき、あるいは共に水平姿勢にあるとき、机の側部にワゴンデスクを設置した際に、天板の奥行幅が略一致するので外観性に優れるとともに、ワゴンデスクの昇降天板を机天板と面一に設定したとき、面積が拡張された一体的な天板として使用する場合の使用勝手が良くなるのである。尚、ワゴンデスクの後部においても、拡張天板の下方に同様に下肢収容空間が形成されるので、後部に着座する場合にも両者のコミュニケーションが取り易くなる。更に、机の拡張天板の下方にも下肢収容空間が形成されるので、机の後部に着座する場合にも両者のコミュニケーションが取り易くなる。
【図面の簡単な説明】
【００２３】
【図１】本発明に係るワゴンデスクで、昇降天板が最下位に位置し拡張天板が格納姿勢にある状態の側面図である。
【図２】同じく図１の状態の背面図である。
【図３】昇降天板と拡張天板の枢着部を示す拡大断面図である。
【図４】昇降天板の支持構造を示す部分正面図である。
【図５】昇降天板の前後移動に対する案内手段を示す部分分解斜視図である。
【図６】昇降天板が最高位に位置し拡張天板を格納姿勢から水平姿勢へ変化させる状態を示す側面図である。
【図７】拡張天板が昇降天板の後端に水平に連続した水平姿勢で、拡張天板と昇降天板を前方へ移動させた使用状態を示す側面図である。
【図８】同じく図７の状態で一部省略した平面図である。
【図９】机とワゴンデスクを組み合わせて使用する使用形態を示す斜視図である。
【図１０】同じく机とワゴンデスクを組み合わせて使用する他の使用形態を示す斜視図である。
【発明を実施するための形態】
【００２４】
次に、添付図面に示した実施形態に基づき、本発明を更に詳細に説明する。図１〜図７は本発明に係るワゴンデスクの実施形態を示し、図中符号１はワゴンデスク、２は本体部、３は昇降天板、４は昇降機構、５は案内手段、６は拡張天板をそれぞれ示している。
【００２５】
本実施形態のワゴンデスク１は、箱型の本体部２の上位に、昇降天板３をラチェット式の昇降機構４にて高さ調節可能に支持するとともに、前記本体部２の上位に案内手段５によって案内されて前記昇降天板３を前後移動可能とし、更に該昇降天板３の後部に上下回動可能に拡張天板６を設け、該拡張天板６が昇降天板３後部に垂下した格納姿勢と、該拡張天板６が前記昇降天板３の後端に連続して該昇降天板３と上面を面一となした水平姿勢とをとることができるとともに、前記拡張天板６が水平姿勢の状態で前記昇降天板３と共に前記案内手段５で案内されて前方へ移動するように構成したものである。そして、本発明のワゴンデスク１は、前記本体部２の上位に、昇降機構４で高さ調節可能に支持されるとともに、案内手段５によって前後移動可能に案内された昇降天板３を設け、該昇降天板３が後方移動位置にあるとき前記本体部２の上面に該昇降天板３が位置し、該昇降天板３が前方移動位置にあるとき該昇降天板３の前部が前記本体部２よりも前方へ突出し、その下方に下肢収容空間Ｓを有するのである。
【００２６】
前記拡張天板６が水平姿勢の状態で、前記昇降天板３が前方移動位置にあり、該昇降天板３の前部が本体部２より前方へ突出するとともに、前記拡張天板６の後部が本体部２より後方へ突出し、その状態で案内手段５に設けたストッパー７で前後の移動を規制するようにしている。勿論、前記昇降天板３が前方移動位置にあり、前記拡張天板６が格納姿勢の状態でも前記ストッパー７により前方移動を規制する。また、本体部２には多段に引出し８，…を設けるとともに、下端には複数のキャスター９，…を設けて移動可能となしている。尚、本発明では、前記昇降天板３が本体部２の上位に固定され、高さ調節できない構造であっても構わないが、机と組み合わせてサイドデスクとして使用したり、机の足入れ空間に押し込んで袖キャビネットとして使用することを選択的に行えるので、昇降天板３が昇降する構造が好ましい。
【００２７】
更に詳しくは、前記ワゴンデスク１は、両側板１０，１０のそれぞれの内部に組み込んだ前記昇降機構４，４の各支持部材１１，１１が該側板１０，１０の上端から上方へ延びて昇降可能となし、該支持部材１１のＬ字状に内方へ曲がった先端部１２に前後方向に配向したレール部材１３をそれぞれ固着し、両レール部材１３，１３の前後中間部間にビーム部材１４を横設して一体化し、そして前記レール部材１３，１３の上面に前記昇降天板３を前後移動可能に載置している。
【００２８】
前記案内手段５は、図４及び図５に示すように、前記昇降機構４の支持部材１１に固定されたレール部材１３と、該レール部材１３の前後に延びたに、前記昇降天板３の下面に突設した摺動部１６がスライド係合する構造である。前記レール部材１３は、前記長孔１５を前後部に形成した水平なレール板１７と、該レール板１７の内側端縁に垂下した垂直板１８と、該垂直板１８の下端縁に内方へ水平に延びた受板１９とから構成され、前記支持部材１１の先端部１２を固定する前後中間部には、アングル状の補強部材２０を前記レール板１７の上面と垂直板１８の内側面に沿わせて溶接している。そして、両側の前記レール部材１３，１３の前後中間部の受板１９，１９の上面に前記ビーム部材１４の両端部を載置し、ネジ止めにより連結して一体化している。
【００２９】
前記昇降天板３の下面に突設した摺動部１６は、前記レール部材１３の長孔１５に上方からスライド可能に係合するブッシュ２１と、該ブッシュ２１を下方から貫通し、前記昇降天板３の下面に形成したオニメナット２２に螺合する保持ネジ２３とで構成している。前記ブッシュ２１は、前記レール部材１３の長孔１５の周縁上面に当接するフランジ２１Ａと、前記レール板１７の板厚よりも軸方向長さが長く前記長孔１５を貫通するスリーブ２１Ｂと、前記フランジ２１Ａとスリーブ２１Ｂを貫通する中心孔２１Ｃとからなっている。そして、前記ブッシュ２１の中心孔２１Ｃに下方から保持ネジ２３を挿通して前記昇降天板３のオニメナット２２に螺合した状態で、該保持ネジ２３の頭部２３Ａが前記レール部材１３の長孔１５の周縁下面に係止するようになっている。前記レール部材１３に対して前後二箇所で長孔１５，１５と摺動部１６，１６とで前記昇降天板３を前後移動可能に連結している。ここで、前記ブッシュ２１のフランジ２１Ａの厚さは、前記補強部材２０の板厚よりも若干厚く設定している。
【００３０】
そして、ストッパー７は、図４及び図５に示すように、合成樹脂製のストッパー部材２４の中央部に突設した軸部２５，２５を軸受部材２６の凹部２７，２７に回動可能に係合した状態で、該軸受部材２６を前記レール部材１３より外側の昇降天板３の下面にネジ止めにて取付けている。前記ストッパー部材２４には、前記軸部２５，２５を中心として外側にレバー片２８を形成するとともに、内側に係合片２９を形成し、更に前記レバー片２８に対して鋭角となるように軸部２５，２５からバネ片３０を一体形成している。前記軸受部材２６によって、前記ストッパー部材２４を前記昇降天板３の下面に取付けた状態では、前記バネ片３０が昇降天板３の下面に圧接されており、その反動で前記係合片２９の先端に上向き形成した係合爪３１が前記レール部材１３のレール板１７に形成した係合孔３２に係合するようになっている。本実施形態では、前記長孔１５によって許容される前後移動のストローク長に応じて、前記長孔１５に沿った前後二箇所に前記係合孔３２を設け、前記昇降天板３の後方移動終端と前方移動終端で、前記ストッパー部材２４の係合爪３１がそれぞれ係合孔３２に係合し、前後移動を規制するようになっている。
【００３１】
そして、図１〜図３及び図８に示すように、前記昇降天板３の後部に前記拡張天板６が上下回動可能に連結され、該拡張天板６が昇降天板３後部に垂下した格納姿勢と、該拡張天板６が前記昇降天板３の後端に連続して該昇降天板３と上面を面一となした水平姿勢とをとることができるようになっている。具体的には、前記昇降天板３の後部下面と、前記拡張天板６の下面とを蝶番３３，３３で上下回動可能に連結している。前記蝶番３３は、図３に示すように、両ウイング３４，３４とも、先端側の固定板３４Ａと基端側の直角に屈曲した支持板３４Ｂとを有し、両支持板３４Ｂ，３４Ｂの端部を枢支部３５で回動可能に連結した構造である。
【００３２】
尚、前記拡張天板６は、蝶番３３で昇降天板３に連結する以外にも、分離した形態でも良く、その場合、前記昇降天板３を前方移動位置に移動させた後、前記本体部２等の適所に格納した拡張天板６を取り出して該本体部２の後部上位に、前記昇降天板３と連続し上面が面一になるように取付けても良い。
【００３３】
前記両レール部材１３，１３の間で左右二箇所に前記蝶番３３，３３を用いて拡張天板６を昇降天板３に連結する。それには、前記蝶番３３の一方のウイング３４の支持板３４Ｂを昇降天板３の後部下面にネジ止めし、他方のウイング３４の支持板３４Ｂの先端部を拡張天板６の下面にネジ止めする。この際に、前記枢支部３５は、前記昇降天板３の後端よりも前方寄りに位置させ、前記拡張天板６が垂直な格納姿勢の状態で、該拡張天板６が前記昇降天板３の後端より後方へ突出しない位置になるようにしている。そして、前記両ウイング３４，３４の支持板３４Ｂ，３４Ｂの幅を同じに設定しているので、前記拡張天板６が水平姿勢では、前記昇降天板３と拡張天板６の上面が面一になる。
【００３４】
そして、図１に示すように、昇降天板３を後方移動終端に位置させ、拡張天板６を該昇降天板３の後端部下に垂下した格納姿勢の状態から、図６に示すように、前記拡張天板６を蝶番３３の枢支部３５を中心に上方へ回動させて水平な水平姿勢とし、それから図７及び図８に示すように、前記案内手段５，５により、前記昇降天板３と共に拡張天板６を前方へ移動させ、前記拡張天板６の下面を前記案内手段５，５のレール部材１３，１３で支持されて水平姿勢を維持するのである。
【００３５】
ここで、前記拡張天板６が格納姿勢から、前記昇降天板３を前方へスライド移動させる動作に連動して前記拡張天板６を上方へ回動させ、自動的に水平姿勢になるようにすることも可能である。それには、前記蝶番３３のウイング３４が、前記レール部材１３の受板１９に重なる位置に設定するとともに、該レール部材１３の後部に摺動部材３６を取付け、該摺動部材３６の一部が前記拡張天板６に取付けたウイング３４の固定板３４Ａの前面側に摺接するようにし、前記昇降天板３を前方へスライド移動させると、前記固定板３４Ａが摺動部材３６に乗り上げながら上方へ回動し、完全に乗り上げることにより水平姿勢になるようにする。この際、前記レール部材１３の受板１９の下方に後方へ弾性付勢して突出するショックアブソーバーを取付けておけば、前記拡張天板６の上方回動をサポートするので、よりスムーズな連動回動を実現することができる。そして、前記ストッパー７を解除し、前記昇降天板３を後方へスライド移動させれば、前記拡張天板６は蝶番３３の枢支部３５を中心に下方へ回動し、該拡張天板６が後方移動終端に至ると、図１又は図６に示したように拡張天板６は垂下したか格納姿勢になるのである。この際に、前述のショックアブソーバーを設けておくことにより、前記拡張天板６の回動終端での衝撃を和らげることができる。
【００３６】
本発明のワゴンデスク１は、図７及び図８に示すように、前記拡張天板６が水平姿勢の状態で、前記昇降天板３の前部が本体部２より前方へ突出するとともに、前記拡張天板６の後部が本体部２より後方へ突出し、その状態で案内手段５に設けたストッパー７で前後の移動を規制することができる。それにより、前記昇降天板３の前部と前記拡張天板６の後部が、本体部２より突出する長さが略同じになって前後の重心バランスが良くなる。更に、前記昇降天板３の前部と前記拡張天板６の後部の下方に下肢収容空間Ｓができるので、このワゴンデスク１の前部又は後部に親や家庭教師等が着座する際に、楽な姿勢でより天板に近づくことができるのである。
【００３７】
図９及び図１０は、本発明のワゴンデスク１と机３７とを組み合わせて使用する態様を示している。前記机３７は、机天板３８の両側に脚体３９，３９を有し、両脚体３９，３９間の上部であって、机天板３８の下面側に沿った左右に上段引出し４０，４０を設け、両脚体３９，３９間の後部下端間に横桟４１を設け、更に前記机天板３８の後部であって該机天板３８又は前記脚体３９，３９に直接又は他の部材を介して間接的に上下回動可能に拡張天板４２を設け、該拡張天板４２が前記机天板３８の後端に連続して該机天板３８と上面を面一となした水平姿勢と、前記机天板３８の後端下方に垂下した格納姿勢とをとることが可能な構造である。
【００３８】
図９は、ワゴンデスク１の拡張天板６と机３７の拡張天板４２が共に格納姿勢で、机３７の側部に、昇降天板３が低い状態のワゴンデスク１を設置した使用形態を示している。この実施形態では、前記ワゴンデスク１の昇降天板３と机天板３８の奥行幅を略一致させている。
【００３９】
図１０は、ワゴンデスク１の拡張天板６と机３７の拡張天板４２が共に水平姿勢で、机３７の側部に、昇降天板３が高い状態のワゴンデスク１を設置した使用形態を示している。この場合、前記昇降天板３を机天板３８の高さに一致させている。この実施形態では、前記ワゴンデスク１の拡張天板６と机３７の拡張天板４２の奥行幅を略一致させており、机３７の側部に並べてワゴンデスク１を設置した際には、一連の広い天板を構成できるのである。この使用形態で、机３７には子供が着座し、ワゴンデスク１の前部に親や家庭教師等が着座すると、両者のコミュニケーションが取り易くなる。
【００４０】
尚、図１、図７及び図８に示すように、前記昇降天板３の下面前縁部に凹部を形成して把手４３としている。この把手４３に指を掛けて前記昇降天板３を手前に引くことにより、前記拡張天板６が上方へ回動し、水平姿勢になるのである。勿論、格納姿勢にある前記拡張天板６の下部を持って上方へ回動させながら、前記昇降天板３を前方へスライド移動させると、よりスムーズに水平姿勢に移行するのである。
【符号の説明】
【００４１】
Ｓ  下肢収容空間、
１  ワゴンデスク、      ２  本体部、
３  昇降天板、          ４  昇降機構、
５  案内手段、          ６  拡張天板、
７  ストッパー、        ８  引出し、
９  キャスター、        １０  側板、
１１  支持部材、        １２  先端部、
１３  レール部材、      １４  ビーム部材、
１５  長孔、            １６  摺動部、
１７  レール板、        １８  垂直板、
１９  受板、            ２０  補強部材、
２１  ブッシュ、        ２１Ａ  フランジ、
２１Ｂ  スリーブ、      ２１Ｃ  中心孔、
２２  オニメナット、    ２３  保持ネジ、
２３Ａ  頭部、          ２４  ストッパー部材、
２５  軸部、            ２６  軸受部材、
２７  凹部、            ２８  レバー片、
２９  係合片、          ３０  バネ片、
３１  係合爪、          ３２  係合孔、
３３  蝶番、            ３４  ウイング、
３４Ａ  固定板、        ３４Ｂ  支持板、
３５  枢支部、          ３６  摺動部材、
３７  机、              ３８  机天板、
３９  脚体、            ４１  横桟、
４２  拡張天板、        ４３  把手。
【図１】
2011004917.tif 000003
【図２】
2011004917.tif 000004
【図３】
2011004917.tif 000005
【図４】
2011004917.tif 000006
【図５】
2011004917.tif 000007
【図６】
2011004917.tif 000008
【図７】
2011004917.tif 000009
【図８】
2011004917.tif 000010
【図９】
2011004917.tif 000011
【図１０】
2011004917.tif 000012